(57)【要約】【課題】管理装置が同時に複数の端末装置を制御することができる端末管理システム等を提供すること。【解決手段】複数の端末装置１００ｂの端末用情報を有する端末用情報格納手段３１０と、端末用情報を識別する端末用情報の識別情報を有する端末用情報の識別情報格納手段２１５と、各端末装置を識別する端末装置識別情報を有する端末装置識別情報格納手段２１４と、端末用情報の識別情報及び端末装置識別情報に基づき、情報及び端末識別情報を生成する情報及び端末識別情報生成手段３０８と、情報及び端末識別情報を端末用情報と共に端末装置へ送信する管理装置側送信手段３０８、３０５と、を有する管理装置２００、３００と、管理装置用情報を格納するための管理装置用情報格納手段１０９と、情報及び端末識別情報を管理装置用情報と共に管理装置へ送信する端末装置側発信手段１０３、１０７と、を有する端末装置とを備える端末管理システム１０。【選択図】図７
2005072969.tif 000002
【特許請求の範囲】
【請求項１】
複数の端末装置の各々に送信するための端末用情報を格納するための端末用情報格納手段と、
前記端末用情報を識別するための端末用情報の識別情報を格納する端末用情報の識別情報格納手段と、
前記複数の各端末装置を識別するための端末装置識別情報を格納する端末装置識別情報格納手段と、
前記端末用情報の識別情報及び前記端末装置識別情報に基づき、情報及び端末識別情報を生成する、情報及び端末識別情報生成手段と、
前記情報及び端末識別情報を前記端末用情報と共に、端末装置へ送信するための管理装置側送信手段と、を有する管理装置と、
前記情報及び端末識別情報及び前記端末用情報を受信するための端末装置側受信手段と、
管理装置に送信するための管理装置用情報を格納するための管理装置用情報格納手段と、
前記受信した、情報及び端末識別情報を前記管理装置用情報と共に、端末装置側発信手段を介して前記管理装置へ送信させるための端末装置側発信手段と、を有する端末装置と、を備える端末管理システム。
【請求項２】
管理装置が、アプリケーションサーバと管理サーバとを有し、
前記アプリケーションサーバは、前記管理サーバに送信するための端末用情報を格納するためのアプリケーションサーバ側端末用情報格納手段と、
前記端末用情報の識別情報格納手段と、
前記端末装置識別情報格納手段と、
前記端末用情報を前記端末用情報の識別情報と前記端末装置識別情報と共に前記管理サーバに送信するアプリケーションサーバ側送信手段と、を有し、
前記管理サーバは、前記アプリケーションサーバから前記端末用情報を前記端末用情報の識別情報と前記端末装置識別情報と共に受信する管理サーバ側受信手段と、
前記情報及び端末識別情報生成手段と、
前記情報及び端末識別情報を前記端末用情報識別情報と前記端末装置識別情報とに変換可能な情報変換手段と、を有することを特徴とする請求項１に記載の端末管理システム。
【請求項３】
前記端末用情報が、前記管理サーバの前記端末装置に対する監視情報又は端末装置に対する通知要求であることを特徴とする請求項２に記載の端末管理システム。
【請求項４】
複数の端末装置の各々に送信するための端末用情報を格納するための端末用情報格納手段と、
前記端末用情報を識別するための端末用情報の識別情報を格納する端末用情報の識別情報格納手段と、
前記複数の各端末装置を識別するための端末装置識別情報を格納する端末装置識別情報格納手段と、
前記端末用情報の識別情報及び前記端末装置識別情報に基づき、情報及び端末識別情報を生成する、情報及び端末識別情報生成手段と、
前記情報及び端末識別情報を前記端末用情報と共に、端末装置へ送信するための管理装置側送信手段と、
前記端末装置から管理装置用情報を前記情報及び端末識別情報と共に受信するための管理装置側受信手段と、を有することを特徴とする管理装置。
【請求項５】
管理装置の情報及び端末識別情報生成手段が、端末用情報格納手段内の端末用情報、端末用情報識別情報格納手段内の端末用情報識別情報より、情報及び端末識別情報を生成する、情報及び端末識別情報生成工程と、
管理装置の管理装置側送信手段が、前記情報及び端末識別情報を前記端末用情報と共に、複数の端末装置の各々へ送信する管理装置側送信工程と、
端末装置の端末装置側受信手段が、前記情報及び端末識別情報及び前記端末用情報を受信する端末装置側受信工程と、
端末装置の端末装置側発信手段が、管理装置用情報格納手段に格納されている管理装置用情報を前記受信した、情報及び端末識別情報と共に、前記管理装置へ送信するための端末装置側発信工程と、を備える端末管理方法。
【請求項６】
コンピュータに、管理装置の情報及び端末識別情報生成手段が、端末用情報格納手段内の端末用情報、端末用情報識別情報格納手段内の端末用情報識別情報より、情報及び端末識別情報を生成する、情報及び端末識別情報生成工程と、
管理装置の管理装置側送信手段が、前記情報及び端末識別情報を前記端末用情報と共に、複数の端末装置の各々へ送信する管理装置側送信工程と、
端末装置の端末装置側受信手段が、前記情報及び端末識別情報及び前記端末用情報を受信する端末装置側受信工程と、
端末装置の端末装置側発信手段が、管理装置用情報格納手段に格納されている管理装置用情報を前記受信した、情報及び端末識別情報と共に、前記管理装置へ送信するための端末装置側発信工程と、を実行させるための端末管理プログラム。
【請求項７】
コンピュータに、管理装置の情報及び端末識別情報生成手段が、端末用情報格納手段内の端末用情報、端末用情報識別情報格納手段内の端末用情報識別情報より、情報及び端末識別情報を生成する、情報及び端末識別情報生成工程と、
管理装置の管理装置側送信手段が、前記情報及び端末識別情報を前記端末用情報と共に、複数の端末装置の各々へ送信する管理装置側送信工程と、
端末装置の端末装置側受信手段が、前記情報及び端末識別情報及び前記端末用情報を受信する端末装置側受信工程と、
端末装置の端末装置側発信手段が、管理装置用情報格納手段に格納されている管理装置用情報を前記受信した、情報及び端末識別情報と共に、前記管理装置へ送信するための端末装置側発信工程と、を実行させるための端末管理プログラムを記録したコンピュータ読み取り可能な記録媒体。
【発明の詳細な説明】
【技術分野】
【０００１】
本発明は、端末装置の管理を行う端末管理システム、管理装置、端末管理方法、端末管理プログラム及び端末管理プログラムを記録したコンピュータ読み取り可能な記録媒体に関するものである。
【背景技術】
【０００２】
従来より、端末装置である例えば、携帯電話等は、本来の音声通話機以外に種々付加機能を有している（例えば、特許文献１参照）。この付加機能の中には、例えばＧＰＳ（Ｇｌｏｂａｌ  Ｐｏｓｉｔｉｏｎｉｎｇ  Ｓｙｓｔｅｍ）機能もある。
このため、このようなＧＰＳ機能を有する携帯電話を例えば営業員等に持たせ、各携帯電話と会社の管理サーバとを通信可能とし、一定時間毎に各携帯電話がその位置を管理サーバへ自動的に連絡するように設定すれば、会社はその営業員の行動を監視することができる。
このように、携帯電話と管理サーバとを組み合わせて例えば、会社は営業員監視システムを運用することができる。
【０００３】
しかし、会社は、このように各営業員が所持している携帯電話の全てから一斉に位置情報を受ける必要がない場合も多いので、位置情報を管理サーバへ送信する携帯電話に対してのみ、そのような設定をする場合がある。
このとき、各携帯電話の全てを一旦、回収して設定の変更等を行うのは大変なため、管理サーバが選択された携帯電話に対してのみ、例えば位置情報を管理サーバに送信するよう設定の変更を行い、他は送信しない設定とすることがある。
この設定変更が行われたか否かは、管理サーバから設定信号を送信し、この設定信号を受信した当該携帯電話が応答信号を発信することで確認する構成となっていた。
【特許文献１】特開２００２−１９９４２４号公報（図１等）
【発明の開示】
【発明が解決しようとする課題】
【０００４】
しかしながら、各携帯電話が一斉に応答信号を発信すると、これらの応答信号がどの携帯電話の信号であるかを管理サーバは判別することができない。このため、管理サーバは設定変更を行う一つの携帯電話に設定信号を送信し、この携帯電話からの応答信号を待って、次に携帯電話に設定信号を送信する必要があった。このように、従来は複数の携帯電話に同時に設定信号の送信等ができず、複数の携帯電話等の端末の同時制御ができないという問題があった。
【０００５】
そこで、本発明は、管理装置が同時に複数の端末装置を制御することができる端末管理システム、管理装置、端末管理方法、端末管理プログラム及び端末管理プログラムを記録したコンピュータ読み取り可能な記録媒体を提供することを目的とする。
【課題を解決するための手段】
【０００６】
前記目的は、第１の発明によれば、複数の端末装置の各々に送信するための端末用情報を格納するための端末用情報格納手段と、前記端末用情報を識別するための端末用情報の識別情報を格納する端末用情報の識別情報格納手段と、前記複数の各端末装置を識別するための端末装置識別情報を格納する端末装置識別情報格納手段と、前記端末用情報の識別情報及び前記端末装置識別情報に基づき、情報及び端末識別情報を生成する、情報及び端末識別情報生成手段と、前記情報及び端末識別情報を前記端末用情報と共に、端末装置へ送信するための管理装置側送信手段と、を有する管理装置と、前記情報及び端末識別情報及び前記端末用情報を受信するための端末装置側受信手段と、管理装置に送信するための管理装置用情報を格納するための管理装置用情報格納手段と、前記受信した、情報及び端末識別情報を前記管理装置用情報と共に、端末装置側発信手段を介して前記管理装置へ送信させるための端末装置側発信手段と、を有する端末装置と、を備える端末管理システムにより達成される。
【０００７】
第１の発明の構成によれば、前記管理装置は、前記端末用情報の識別情報及び前記端末装置識別情報に基づき前記情報及び端末識別情報を生成する、情報及び端末識別情報生成手段と、前記情報及び端末識別情報を前記端末用情報と共に、端末装置へ送信するための管理装置側送信手段を有している。
また、前記端末装置は、管理装置に送信するための管理装置用情報を格納するための管理装置用情報格納手段と、前記受信した、情報及び端末識別情報を前記管理装置用情報と共に、前記管理装置へ送信するための端末装置側発信手段とを有している。
このため、前記管理装置から前記複数の端末装置に送信するための前記端末用情報（例えば設定情報等）が同一であり、これにより、前記端末用情報の識別情報（例えば「ＳＥＱＮＯ＝０００１」）も同一であっても、前記端末装置毎に前記端末装置識別情報（例えば「ＴＥＲＭＩＤ＝Ｔ００１又はＴ００２」等）が異なる。
そして、前記情報及び端末識別情報生成手段は、これら端末用情報の識別情報や端末装置識別情報に基づいて前記情報及び端末識別情報を生成するので、前記情報及び端末識別情報も端末装置毎に異なることになる（例えば「ＳＥＱＩＤ＝１００１」、「１００２」等）。そして、この端末装置毎に異なった前記情報及び端末識別情報が前記端末用情報と共に各端末装置に送信されることになる。
【０００８】
一方、前記端末装置は、この端末装置毎に異なった前記情報及び端末識別情報（例えば「ＳＥＱＩＤ＝１００１」「１００２」等）を、前記管理装置用情報（例えば、設定完了通知等）と共に前記管理装置へ返信する構成となっている。
このため、この端末装置からの前記管理装置用情報（例えば、設定完了通知等）を受け取った前記管理装置は、共に返信される前記情報及び端末識別情報（例えば「ＳＥＱＩＤ＝１００１」「１００２」等）を認識することで、当該管理装置用情報がどの端末装置から送信されて来たかを明確に把握することができる。
したがって、前記管理装置は前記複数の端末装置に同時に前記端末用情報（例えば、設定情報等）を送信し、その後、各端末装置から順不同に前記管理装置用情報（例えば、設定完了通知等）を受信しても、前記管理装置用情報と共に返信されてくる前記情報及び端末識別情報（例えば「ＳＥＱＩＤ＝１００１」「１００２」等）によって、どの端末装置からの情報かを容易に区別することができる。
以上から、前記管理装置は、前記複数の端末装置に同時に前記端末用情報（例えば、設定情報等）を送信等することができ、前記複数の端末装置を同時制御することができるようになる。
【０００９】
第２の発明によれば、第１の発明の構成において、管理装置が、アプリケーションサーバと管理サーバとを有し、前記アプリケーションサーバは、前記管理サーバに送信するための端末用情報を格納するためのアプリケーションサーバ側端末用情報格納手段と、前記端末用情報の識別情報格納手段と、前記端末装置識別情報格納手段と、前記端末用情報を前記端末用情報の識別情報と前記端末装置識別情報と共に前記管理サーバに送信するアプリケーションサーバ側送信手段と、を有し、前記管理サーバは、前記アプリケーションサーバから前記端末用情報を前記端末用情報の識別情報と前記端末装置識別情報と共に受信する管理サーバ側受信手段と、前記情報及び端末識別情報生成手段と、前記情報及び端末識別情報を前記端末用情報識別情報と前記端末装置識別情報とに変換可能な情報変換手段と、を有することを特徴とする端末管理システムである。
【００１０】
第２の発明の構成によれば、前記管理サーバと前記端末装置との間で前記情報及び端末識別情報を用いて情報の通信を行い、前記管理サーバとアプリケーションサーバとの間は前記端末用情報の識別情報及び前記端末装置識別情報を用いて情報の通信を行うこととなる。
このため、前記アプリケーションサーバにおいては、前記情報及び端末識別情報（例えば、「ＳＥＱＩＤ＝１００１」等）を前記端末用情報の識別情報（例えば、「ＳＥＱＮＯ＝０００１」等）と前記端末装置識別情報（例えば、「ＴＥＲＭＩＤ＝Ｔ００１」等）に変換する必要がないので、アプリケーションサーバは迅速に前記端末装置の状態を把握することができる。
【００１１】
第３の発明によれば、第２の発明の構成において、前記端末用情報が、前記管理サーバの前記端末装置に対する監視情報又は端末装置に対する通知要求であることを特徴とする端末管理システムである。
【００１２】
前記第３の発明の構成によれば、前記管理サーバと前記端末装置との間の前記監視情報や前記通知要求に前記情報及び端末識別情報を付することで、前記監視情報や前記通知要求を受信した前記端末装置からの応答情報が発信された端末装置を容易に特定することができる。
このため、前記管理サーバは、これらの情報を同時に各端末装置に送信することができ、前記複数の端末装置を同時制御することができるようになる。
【００１３】
前記目的は、第４の発明によれば、複数の端末装置の各々に送信するための端末用情報を格納するための端末用情報格納手段と、前記端末用情報を識別するための端末用情報の識別情報を格納する端末用情報の識別情報格納手段と、前記複数の各端末装置を識別するための端末装置識別情報を格納する端末装置識別情報格納手段と、前記端末用情報の識別情報及び前記端末装置識別情報に基づき、情報及び端末識別情報を生成する、情報及び端末識別情報生成手段と、前記情報及び端末識別情報を前記端末用情報と共に、端末装置へ送信するための管理装置側送信手段と、前記端末装置から管理装置用情報を前記情報及び端末識別情報と共に受信するための管理装置側受信手段と、を有することを特徴とする管理装置により達成される。
【００１４】
前記第４の発明の構成によれば、第１の発明の作用等と同様に、前記管理装置は前記複数の端末装置に同時に前記端末用情報（例えば、設定情報等）を送信し、その後、各端末装置から順不同に前記管理装置用情報（例えば、設定完了通知等）を受信しても、前記管理装置用情報と共に送信されてくる前記情報及び端末識別情報（例えば「ＳＥＱＩＤ＝１００１」「１００２」等）によって、どの端末装置からの情報かを容易に区別することができる。
したがって、前記管理装置は、前記複数の端末装置に同時に前記端末用情報（例えば、設定情報等）を送信等することができ、前記複数の端末装置を同時制御することができるようになる。
【００１５】
前記目的は、第５の発明によれば、管理装置の情報及び端末識別情報生成手段が、端末用情報格納手段内の端末用情報、端末用情報識別情報格納手段内の端末用情報識別情報より、情報及び端末識別情報を生成する、情報及び端末識別情報生成工程と、管理装置の管理装置側送信手段が、前記情報及び端末識別情報を前記端末用情報と共に、複数の端末装置の各々へ送信する管理装置側送信工程と、端末装置の端末装置側受信手段が、前記情報及び端末識別情報及び前記端末用情報を受信する端末装置側受信工程と、端末装置の端末装置側発信手段が、管理装置用情報格納手段に格納されている管理装置用情報を前記受信した、情報及び端末識別情報と共に、前記管理装置へ送信するための端末装置側発信工程と、を備える端末管理方法により達成される。
【００１６】
第５の発明の構成によれば、第１の発明の作用等と同様に、前記管理装置は前記複数の端末装置に同時に前記端末用情報（例えば、設定情報等）を送信し、その後、各端末装置から順不同に前記管理装置用情報（例えば、設定完了通知等）を受信しても、前記管理装置用情報と共に送信されてくる前記情報及び端末識別情報（例えば「ＳＥＱＩＤ＝１００１」「１００２」等）によって、どの端末装置からの情報かを容易に区別することができる。
したがって、前記管理装置は、前記複数の端末装置に同時に前記端末用情報（例えば、設定情報等）を送信等することができ、前記複数の端末装置を同時制御することができるようになる。
【００１７】
前記目的は、第６の発明によれば、コンピュータに、管理装置の情報及び端末識別情報生成手段が、端末用情報格納手段内の端末用情報、端末用情報識別情報格納手段内の端末用情報識別情報より、情報及び端末識別情報を生成する、情報及び端末識別情報生成工程と、管理装置の管理装置側送信手段が、前記情報及び端末識別情報を前記端末用情報と共に、複数の端末装置の各々へ送信する管理装置側送信工程と、端末装置の端末装置側受信手段が、前記情報及び端末識別情報及び前記端末用情報を受信する端末装置側受信工程と、端末装置の端末装置側発信手段が、管理装置用情報格納手段に格納されている管理装置用情報を前記受信した、情報及び端末識別情報と共に、前記管理装置へ送信するための端末装置側発信工程と、を実行させるための端末管理プログラムにより達成される。
【００１８】
前記第６の発明の構成によれば、第１の発明の作用等と同様に、前記管理装置は前記複数の端末装置に同時に前記端末用情報（例えば、設定情報等）を送信し、その後、各端末装置から順不同に前記管理装置用情報（例えば、設定完了通知等）を受信しても、前記管理装置用情報と共に送信されてくる前記情報及び端末識別情報（例えば「ＳＥＱＩＤ＝１００１」「１００２」等）によって、どの端末装置からの情報かを容易に区別することができる。
したがって、前記管理装置は、前記複数の端末装置に同時に前記端末用情報（例えば、設定情報等）を送信等することができ、前記複数の端末装置を同時制御することができるようになる。
【００１９】
前記目的は、第７の発明によれば、コンピュータに、管理装置の情報及び端末識別情報生成手段が、端末用情報格納手段内の端末用情報、端末用情報識別情報格納手段内の端末用情報識別情報より、情報及び端末識別情報を生成する、情報及び端末識別情報生成工程と、
管理装置の管理装置側送信手段が、前記情報及び端末識別情報を前記端末用情報と共に、複数の端末装置の各々へ送信する管理装置側送信工程と、端末装置の端末装置側受信手段が、前記情報及び端末識別情報及び前記端末用情報を受信する端末装置側受信工程と、端末装置の端末装置側発信手段が、管理装置用情報格納手段に格納されている管理装置用情報を前記受信した、情報及び端末識別情報と共に、前記管理装置へ送信するための端末装置側発信工程と、を実行させるための端末管理プログラムを記録したコンピュータ読み取り可能な記録媒体により達成される。
【００２０】
前記第７の発明の構成によれば、第１の発明の作用等と同様に、前記管理装置は前記複数の端末装置に同時に前記端末用情報（例えば、設定情報等）を送信し、その後、各端末装置から順不同に前記管理装置用情報（例えば、設定完了通知等）を受信しても、前記管理装置用情報と共に送信されてくる前記情報及び端末識別情報（例えば「ＳＥＱＩＤ＝１００１」「１００２」等）によって、どの端末装置からの情報かを容易に区別することができる。
したがって、前記管理装置は、前記複数の端末装置に同時に前記端末用情報（例えば、設定情報等）を送信等することができ、前記複数の端末装置を同時制御することができるようになる。
【発明を実施するための最良の形態】
【００２１】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
図１は、本発明の実施の形態にかかる監視システム１０を示す概略図である。
図１に示すように、監視システム１０は、監視を依頼するクライアントである親（ア）が所持する端末装置である例えば、携帯電話１００ａと、被監視者である親（ア）の子供（イ）及び子供（ウ）が所持する端末装置である例えば、携帯電話１００ｂ、１００ｃとを有している。
この監視システム１０では、後述するように子（イ）及び子（ウ）の携帯電話１００ｂ、１００ｃに、自己の位置を測位できるＧＰＳ（Ｇｌｏｂａｌ  Ｐｏｓｉｔｉｏｎｉｎｇ  Ｓｙｓｔｅｍ）装置が搭載されている。
【００２２】
また、携帯電話１００ｂ、１００ｃには、監視地域であるゾーン（例えば、子供（イ）（ウ）が通学する学校を中心に半径５ｋｍ等）を設定できる構成となっている。
このため、子供（イ）（ウ）の携帯電話１００ｂ、１００ｃは、ＧＰＳ装置で自己の位置を測位し、その測位位置が前記ゾーン内に在るか否かを後述する管理サーバ等に報告する構成となっている。
このような報告を受けた管理サーバは、後述するアプリケーションサーバを介して親（ア）の携帯電話１００ａに報告することで、親（ア）が子供（イ）（ウ）を監視する監視サービスを提供できるシステムとなっている。
【００２３】
以下、監視システム１０の構成を詳細に説明する。図１に示すように、監視システム１０は、管理装置である例えば、監視サービスをクライアントである親（ア）に提供するアプリケーションサーバ２００を有している。
また、監視システム１０は、管理装置である例えば、通信サービス等を行う電話会社等が運営管理する管理サーバ３００を有している。
これらアプリケーションサーバ２００及び管理サーバ３００は、図１に示すようにインターネット網１１に接続されている。
また、図１に示す、クライアントである親（ア）の携帯電話１００ａと、被監視者である子供（イ）（ウ）の携帯電話１００ｂ、１００ｃは、基地局１２ａ、１２ｂ、１２ｃを介してそれぞれインターネット網１１に接続されている。
したがって、親（ア）の携帯電話１００ａ、子（イ）（ウ）の携帯電話１００ｂ、１００ｃ、アプリケーションサーバ２００及び管理サーバ３００は、それぞれインターネット網１１を介して通信可能に接続されている。
【００２４】
（アプリケーションサーバ２００及び管理サーバ３００の主なハードウエア構成）  
図２は図１のアプリケーションサーバ２００及び管理サーバ３００の主なハードウエア構成等を示す概略ブロック図である。アプリケーションサーバ２００と管理サーバ３００は、その主なハードウエア構成等がほぼ同様であるため、アプリケーションサーバ２００を例にその主なハードウエア構成を説明する。
図２に示すように、アプリケーションサーバ２００等は、例えばコンピュータ等を有しており、コンピュータは、バス２０１によりＣＰＵ（Ｃｅｎｔｒａｌ  Ｐｒｏｃｅｓｓｉｎｇ  Ｕｎｉｔ）２０２、ＲＡＭ（Ｒａｎｄｏｍ  Ａｃｃｅｓｓ  Ｍｅｍｏｒｙ）２０３やＲＯＭ（Ｒｅａｄ  Ｏｎｌｙ  Ｍｅｍｏｒｙ）２０４等からなる記憶手段が配置されている。
また、このバス２０１には、上述した図１のインターネット網１１と接続するためのＷｅｂ管理手段２０５等が接続されていると共に、アプリケーションサーバ２００等を操作するためのキーボード等の操作手段２０６やディスプレイ等の表示手段２０７等も接続されている。
【００２５】
すなわち、このバス２０１はすべてのデバイスを接続する機能を有し、アドレスやデータパスを有する内部パスである。
ＣＰＵ２０２は所定のプログラムの処理を行う他、バス２０１に接続されたＲＯＭ２０４等を制御している。ＲＯＭ２０４は、各種プログラムや各種情報等を格納している。
ＲＡＭ２０３は、プログラム処理中のメモリの内容を対比したり、プログラムを実行するためのエリアとしての機能を有する。
また、アプリケーションサーバ２００等は、インターネット網１１に接続されているので、アプリケーションサーバ２００等のコンピュータはＨＴＭＬ言語で書かれたファイルを読み取ることができるブラウザを表示手段２０７に表示できる構成となっている。
ブラウザとしてはＨＴＭＬ閲覧ソフトである各種のブラウザソフトが適用される。
さらに、このコンピュータは搭載している基本制御プログラム（ＯＳ（オペレーションシステム）やＢＩＯＳ（基本出力制御システム））がＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）やＪａｖａ（登録商標）言語等により動作するよう構成されている。
【００２６】
（携帯電話１００ａ、１００ｂ、１００ｃの主なハードウエア構成等）
図３は、図１の親（ア）の携帯電話１００ａ及び子（イ）（ウ）の携帯電話１００ｂ、１００ｃの主なハードウエア構成等を示す概略ブロック図である。
図３に示すように、携帯電話１００ａ等は、位置情報取得手段である例えば、ＧＰＳ（Ｇｌｏｂａｌ  Ｐｏｓｉｔｉｏｎｉｎｇ  Ｓｙｓｔｅｍ）装置用のＧＰＳアンテナ３０１を有し、このＧＰＳアンテナ３０１は受信手段３０２を介してＣＰＵ２０２と接続されている。
ＧＰＳアンテナ３０１は、例えば４個のＧＰＳ衛星から電波を受け、ＧＰＳ装置は自己の緯度、経度及び高度を特定する構成となっている。
また、携帯電話１００ａ等は、図１の基地局１２ａ、１２ｂ、１２ｃと通信するための通信アンテナ３０３や通信手段３０４を有すると共に、図２のアプリケーションサーバ２００等と同様に、ＲＯＭ２０４等からなる記憶手段３０５、表示手段２０７及び操作手段２０６等も有し、これらはＣＰＵ２０２と接続されている。
また、携帯電話１００ａ等は、外部機器と接続するための外部インターフェース３０６や電源部３０７等も有し、これらもＣＰＵ２０２に接続されている。
【００２７】
（アプリケーションサーバ２００の主なソフトウエア構成等）
図４は、アプリケーションサーバ２００の主なソフトウエア構成等を示す概略ブロック図である。
図４に示すように、アプリケーションサーバ２００には、図２のＷｅｂ管理手段２０５を制御するＷｅｂ管理部２０８、操作手段２０６を制御する操作部２０９、表示手段２０７を制御する表示部２１０や制御部２１１等を有している。
また、アプリケーションサーバ２００は、監視サービスを利用するクライアントである親（ア）に監視結果を報告するためのクライアントメールアドレス情報データベース２１２を有している。
このクライアントメールアドレス情報データベース２１２には、例えば親（ア）の携帯電話１００ａへＥメールを送信するためのメールアドレス等が格納されている。
【００２８】
また、アプリケーションサーバ２００には、子供（イ）（ウ）の携帯電話１００ｂ、１００ｃの各々に管理サーバ３００から送信するための端末用情報、例えば監視情報を格納するための端末用情報格納手段、例えば監視情報データベース２１３を有している。
すなわち、監視情報データベース２１３は、管理サーバ３００に送信するための監視情報を格納するアプリケーションサーバ側端末用情報格納手段の一例である。
この監視情報は、例えば、子供（イ）（ウ）の通学している学校を中心とする半径５ｋｍを監視ゾーンとする等の情報である。このため、後述のように、この監視情報を管理サーバ３００から受け取った携帯電話１００ｂ、１００ｃは、自己のＧＰＳ装置を用いて測位し、得た緯度、経度及び高度の位置情報と前記監視ゾーンとを比較し、自己が監視ゾーンの内側に所在するか、外側に所在するかを判断し、その結果を報告する構成となっている。
【００２９】
また、アプリケーションサーバ２００は、被監視者である子供（イ）（ウ）の携帯電話１００ｂ、１００ｃのそれぞれを識別するための端末装置識別情報である例えば、ターミナルＩＤ（ＴＥＲＭＩＤ＝Ｔ００１、ＴＥＲＭＩＤ＝Ｔ００２等）を格納する端末装置識別情報格納手段である例えば、ターミナルＩＤ等データベース２１４を有している。
すなわち、例えば子供（イ）の携帯電話１００ｂにはターミナルＩＤとして「Ｔ００１」が付され、子供（ウ）の携帯電話１００ｃには、ターミナルＩＤとして「Ｔ００２」が付される。
また、ターミナルＩＤ等データベース２１４には、被監視者である子（イ）等の携帯電話１００ｂ等であるユーザの認証データも有している。
【００３０】
また、アプリケーションサーバ２００には、監視情報を識別するための端末用情報の識別情報である例えば、シーケンス番号（ＳＥＱＮＯ＝０００１）を格納する端末用情報の識別情報格納手段である例えば、シーケンス番号データベース２１５を有している。
すなわち、上述の「学校から半径５ｋｍという監視情報」には、シーケンス番号として「０００１」が付される。
また、アプリケーションサーバ２００は、被監視者である携帯電話１００ｂ等から管理サーバ３００を介してアプリケーションサーバ２００へ入力された各種のデータを格納する携帯電話１００ｂ等状況ログ等データベース２１６を有している。
アプリケーションサーバ２００の制御部２１１は、監視情報をシーケンス番号とターミナルＩＤと共にＷｅｂ管理部２０８等を介して管理サーバ３００へ送信される（アプリケーションサーバ側送信手段の一例）。
具体的には、学校から半径５ｋｍという監視情報（シーケンス番号「０００１」）を被監視者の携帯電話１００ｂ（ターミナルＩＤ「Ｔ００１」）、携帯電話１００ｃ（ターミナルＩＤ「Ｔ００２」）を指定して、共に管理サーバ３００へ送信される。
【００３１】
（管理サーバ３００の主なソフトウエア構成等）
図５は、管理サーバ３００の主なソフトウエア構成等を示す概略ブロック図である。
図５に示すように管理サーバ３００には、アプリケーションサーバ２００のＷｅｂ管理部２０８、操作部２０９、表示部２１０と同様に、Ｗｅｂ管理部３０５、操作部３０６そして表示部３０７を有している。また、アプリケーションサーバ２００と同様に制御部３０８を有している。
図５に示すように、管理サーバ３００は、アプリケーションサーバ２００との間で携帯電話１００ｂ、１００ｃのユーザ認証が行えるようにユーザ認証を格納したユーザ認証データベース３０９を有している。
また、アプリケーションサーバ２００から送信される上述の「学校から半径５ｋｍ」等の監視情報を一時保存する監視情報一時保存用データベース３１０を有している（端末用情報格納手段の一例）。
【００３２】
すなわち、管理サーバ３００のＷｅｂ管理部３０５は、アプリケーションサーバ２００から送信された「学校から半径５ｋｍ」等の監視情報、シーケンス番号（０００１）及びターミナルＩＤ（Ｔ００１、Ｔ００２）を受信する（管理サーバ側受信手段の一例）。
また、管理サーバ３００は、アプリケーションサーバ２００からの監視情報を受信した際、アプリケーションサーバ２００へ発信する監視情報受信通知を生成するための監視情報受信通知用データベース３１１を有している。
さらに、ターミナルＩＤで特定された被監視者である子供（イ）（ウ）の携帯電話１００ｂ、１００ｃと基地局１２ｂ、１２ｃとの通信状態の情報を入手し、その結果をアプリケーションサーバ２００へ送信する際に生成される通信状態通知を生成するための通信状態通知生成用データベース３１３を有している。
【００３３】
また、管理サーバ３００は、アプリケーションサーバ２００から「学校から半径５ｋｍ」等の監視情報と共に送信されたシーケンス番号（例えば「ＳＥＱＮＯ＝０００１」）及び監視対象携帯電話を特定するターミナルＩＤ（携帯電話１００ｂが「Ｔ００１」で携帯電話１００ｃが「Ｔ００２」）に基づき、情報及び端末識別情報である例えば、シーケンスＩＤを生成する、情報及び端末識別情報生成手段を有している。
この情報及び端末識別情報生成手段は例えば、制御部３０８等である。
すなわち、制御部３０８は、アプリケーションサーバ２００から受信したシーケンス番号（例えば「ＳＥＱＮＯ＝０００１」）とターミナルＩＤ（携帯電話１００ｂが「Ｔ００１」で携帯電話１００ｃが「Ｔ００２」）、そして、図５に示すシーケンスＩＤ変換データベース３１２等を参照して、シーケンスＩＤを生成する。
【００３４】
具体的には、子供（イ）の携帯電話１００ｂ用のシーケンスＩＤ（ＳＥＱＩＤ）は、シーケンス番号（ＳＥＱＮＯ＝０００１）とターミナルＩＤ（ＴＥＲＭＩＤ＝Ｔ００１）から例えば「ＳＥＱＩＤ＝１００１」となる。
また、子供（ウ）の携帯電話１００ｃのシーケンスＩＤ（ＳＥＱＩＤ）は、シーケンス番号（ＳＥＱＮＯ＝０００１）とターミナルＩＤ（ＴＥＲＭＩＤ＝Ｔ００２）とから例えば「ＳＥＱＩＤ＝１００２」となる。
このようにターミナルＩＤは、例え監視情報が同じ「学校から半径５ｋｍ」等であっても、携帯電話１００ｂ、１００ｃ毎に異なる番号となるので、同一監視情報を複数の携帯電話１００ｂ等に送信する場合でも異なった番号とでき、携帯電話１００ｂ等を識別することができる。
また、制御部３０８はシーケンスＩＤ交換データベース３１２を参照することにより、シーケンスＩＤをシーケンス番号とターミナルＩＤに変換することもできる構成となっている（情報変換手段の一例）。
【００３５】
ところで、管理サーバ３００は、携帯電話１００ｂ等に「学校から半径５ｋｍ」等の監視情報を送信する前に、接続を確認するために通知要求を送信する。
管理サーバ３００は、この通知要求（端末用情報の一例）を生成するための通知要求生成用データベース３１４を有している。
すなわち、制御部３０８は、この通知要求生成用データベース３１４を参照し、通知要求を生成し、この通知要求と共に前記シーケンスＩＤを、Ｗｅｂ管理部３０５等を介し、当該携帯電話１００ｂ等に送信する構成となっている（管理装置側送信手段の一例）。
また、管理サーバ３００には、図５に示すように、携帯電話１００ｂ等に対し送信した前記通知要求の応答である通知応答等の受信履歴を格納する受信履歴データベース３１５を有している。
この受信履歴データベース３１５には、管理サーバ３００から携帯電話１００ｂ等へ監視情報が送信された後、受信した携帯電話１００ｂ等が管理サーバ３００へ送信する監視情報受信応答も格納される。
また、管理サーバ３００は、携帯電話１００ｂ等に「学校から半径５ｋｍ」等の監視情報を送信した後、携帯電話１００ｂ等から同監視情報の設定を完了したか否かの監視情報設定完了等通知を受信する。この通知は、設定完了通知若しくは設定失敗通知であるので、制御部３０８は図５の監視情報設定完了等通知用データベース３１６を参照して判断する構成となっている。
【００３６】
（携帯電話１００ｂ等の主なソフトウエア構成等）
図６は、図１の子供（イ）（ウ）の携帯電話１００ｂ、１００ｃの主なソフトウエア構成を示す概略ブロック図である。
図６に示すように、携帯電話１００ｂ等は、ＧＰＳ装置を制御するＧＰＳ管理部１０２を有しているので、自己の緯度、経度及び高度等の位置情報を取得できる構成となっている。
また、図３の通信手段３０４を制御する送受信部１０３、表示手段２０７を制御する表示部１０４、操作手段２０６を制御する操作部１０５、電源部３０７を制御する電源制御部１０６、そして中央制御部１０７を有している。
また、携帯電話１００ｂ等の送受信部１０３は、管理サーバ３００から送信される「学校から半径５ｋｍ」等の監視情報や前記通知情報、そして前記シーケンスＩＤ（ＳＥＱＩＤ＝１００１、１００２等）を受信する構成となっている（端末装置側受信手段の一例）。
【００３７】
また、携帯電話１００ｂ等は、管理サーバ３００から送信された監視情報を格納するための監視情報データベース１０８を有している。
そして、携帯電話１００ｂ等は、管理サーバ３００からの上述の通知要求に応答する通知応答用データベース１０９を有している。さらに、管理サーバ３００からの監視情報の送信に応答する監視情報受信応答用データベース１１０を有している。
そして、管理サーバ３００から受信した監視情報の監視情報データベース１０８への設定が完了した通知である監視情報設定完了通知、若しくは設定がされていない通知である監視情報設定失敗通知を生成するための監視情報設定完了等通知用データベース１１１を有している。
これら通知応答用データベース１０９、監視情報受信応答用データベース１１０及び監視情報設定完了等通知用データベース１１１が管理装置用情報格納手段の一例であり、これらに格納されている通知応答、監視情報受信応答及び監視情報設定完了等通知が管理装置用情報の一例である。
また、携帯電話１００ｂ等は管理サーバ３００から送信された上述のシーケンスＩＤ（例えば、ＳＥＱＩＤ＝１００１）を格納するシーケンスＩＤ保存データベース１１２を有する。
【００３８】
そして、携帯電話１００ｂ等は、監視情報データベース１０８に格納されている「学校から半径５ｋｍ以内を監視ゾーン」とする等の監視情報と、ＧＰＳ管理部１０２等の測位結果を比較し、監視ゾーンの内側に所在するか外側に所在するかの監視報告を行うための報告情報データベース１１３を有している。
また、携帯電話１００ｂ等の制御部１０７は、上述の通知応答、監視情報受信応答、監視情報設定完了等通知を管理サーバ３００へ送信する際に、管理サーバ３００から受信したシーケンスＩＤ（「１００１」等）を共に送受信部１０３等を介して送信する構成となっている（端末装置側発信手段の一例）。
【００３９】
本実施の形態に係る監視システム１０は以上のような構成となっているが、以下その動作等について説明する。
図７及び図８は、監視システム１０の動作等を示す概略シーケンスチャートである。
先ず、本監視システム１０の利用者である親（ア）が自己の携帯電話１００ａからアプリケーションサーバ２００へアクセスし、自己の子供（イ）（ウ）の２人について監視報告の申し込みをした例で以下、説明する。
これら２人の子供（イ）（ウ）は、携帯電話１００ｂ、携帯電話１００ｃをそれぞれ所持している。
監視情報は、２人が通学する学校を中心とした半径５ｋｍの円内から出た場合は異常として親（ア）の携帯電話１００ａに報告することである。
親（ア）が所定の手続を終了すると、アプリケーションサーバ２００は、管理サーバ３００との間でユーザ認証を行う（ＳＴ１及びＳＴ２）。
すなわち、管理サーバ３００のユーザ認証データベース３０９等を参照して、子供（イ）（ウ）の携帯電話１００ｂ、１００ｃの認証を行う。
認証が終了すると、アプリケーションサーバ２００は、学校を中心とした半径５ｋｍ等の監視情報を管理サーバ３００へ送信する（ＳＴ３）。このとき、アプリケーションサーバ２００は監視情報に、携帯電話１００ｂのターミナルＩＤである「ＴＥＲＭＩＤ＝Ｔ００１」と携帯電話１００ｃのターミナルＩＤである「ＴＥＲＭＩＤ＝Ｔ００２」の情報と、監視情報のシーケンス番号である「ＳＥＱＮＯ＝０００１」を共に送信する。
【００４０】
すなわち、アプリケーションサーバ２００は、図４の監視情報データベース２１３内の監視情報、ターミナルＩＤ等データベース２１４内のターミナルＩＤ、そしてシーケンス番号データベース２１５内のシーケンス番号を管理サーバ３００へ送信する。
これら、監視情報、ＳＥＱ＝０００１、ＴＥＲＭＩＤ＝Ｔ００１、Ｔ００２という情報をＷｅｂ管理部３０５等で受信した管理サーバ３００は、監視情報受信通知をシーケンス番号（ＳＥＱ＝０００１）と共にアプリケーションサーバ２００へ送信する（ＳＴ４）。
すなわち、管理サーバ３００の制御部３０８は、監視情報受信通知用データベース３１１を参照して、監視情報受信通知を生成し、アプリケーションサーバ２００から受信したシーケンス番号（ＳＥＱ＝０００１）と共にアプリケーションサーバ２００へ送信する。
次に、管理サーバ３００は、アプリケーションサーバ２００から受信した学校を中心とした半径５ｋｍ等の監視情報を図５の監視情報一時保存用データベース３１０に保存する（ＳＴ５）。
次に、管理サーバ３００は、アプリケーションサーバ２００から受信したターミナルＩＤ（ＴＥＲＭＩＤ＝Ｔ００１、Ｔ００２）に相当する携帯電話１００ｂ、１００ｃ、すなわち、監視対象の携帯電話１００ｂ、１００ｃが通信している基地局１２ｂ、１２ｃ（図１参照）と交信し、携帯電話１００ｂ、１００ｃが通信可能状態か否かを判断する（ＳＴ６）。
【００４１】
そして、管理サーバ３００の制御部３０８は、通信状態通知生成用データベース３１３を参照して、通信可能状態通知又は通信不可状態通知を生成し、アプリケーションサーバ２００から受信したシーケンス番号（ＳＥＱＮＯ＝０００１）とターミナルＩＤ（ＴＥＲＭＩＤ＝Ｔ００１、Ｔ００２）と共に、アプリケーションサーバ２００へ送信する（ＳＴ７）。
これで、アプリケーションサーバ２００は、携帯電話１００ｂ、１００ｃが監視可能状態か否かを知ることができる。また、アプリケーションサーバ２００は、その旨、クライアントである親（ａ）の携帯電話１００ａにＥメール等で報告する。
また、管理サーバ３００の制御部３０８は、シーケンスＩＤデータベース３１２を参照し、アプリケーションサーバ２００から受信したシーケンス番号（０００１）とターミナルＩＤ（Ｔ００１、Ｔ００２）とからシーケンスＩＤを生成する（情報及び端末識別情報生成工程の一例）。
このシーケンスＩＤ（ＳＥＱＩＤ）は、携帯電話１００ｂについては、例えば「１００１」となり、携帯電話１００ｃについては、例えば「１００２」となる。
このように監視情報のシーケンス番号（０００１）が同一でも携帯電話１００ｂ等のターミナルＩＤ（Ｔ００１、Ｔ００２）が異なることで、異なったシーケンスＩＤ（ＳＥＱＩＤ）を生成することができるようになっている。
【００４２】
次に、管理サーバ３００は、ターミナルＩＤ（Ｔ００１、Ｔ００２）の携帯電話１００ｂ、１００ｃが通信可能状態にあると判断した場合は、それぞれの携帯電話１００ｂ、１００ｃと直接通信する。
すなわち、管理サーバ３００は、携帯電話１００ｂに対して通知要求を行う。このとき、通知要求と共に、上述のシーケンスＩＤ（ＳＥＱＩＤ）が送信される（ＳＴ８）（管理装置側送信工程の一例）。
具体的には、管理サーバ３００の制御部３０８は、通知要求生成用データベース３１４を参照し、通知要求を生成し、通知要求と共に、携帯電話１００ｂのシーケンスＩＤである「ＳＥＱＩＤ＝１００１」を携帯電話１００ｂに送信する。
次に、管理サーバ３００は携帯電話１００ｃに対しても通知要求と共に、そのシーケンスＩＤである「ＳＥＱＩＤ＝１００２」を送信する（ＳＴ９）（管理装置側送信工程の一例）。
次に、携帯電話１００ｂは通知応答を管理サーバ３００へ送信するが、そのとき管理サーバ３００から受信したシーケンスＩＤ（ＳＥＱＩＤ＝１００１）も送信する（ＳＴ１０）（端末装置側発信工程の一例）。
すなわち、携帯電話１００ｂの中央制御部１０７は、通知要求及びシーケンスＩＤ（ＳＥＱＩＤ＝１００１）を送受信部１０３を介して受信すると、シーケンスＩＤを図６のシーケンスＩＤ保存データベース１１２に格納する。
そして、中央制御部１０７は、通知応答用データベース１０９を参照し、通知要求に対応する通知応答を生成し、生成された通知応答をシーケンスＩＤ保存データベース１１２内のシーケンスＩＤ（ＳＥＱＩＤ＝１００１）と共に管理サーバ３００へ送信する。
【００４３】
ＳＴ１０で通知応答を受信した管理サーバ３００は従来、この通知応答が携帯電話１００ｂと携帯電話１００ｃのいずれから来たか認識することができなかった。
そのため、ＳＴ８で携帯電話１００ｂへ通知要求を発信すると、携帯電話１００ｂからの通知応答を待つか、タイムアウトまで待って、携帯電話１００ｃへ通知要求を発信していた。
したがって、携帯電話１００ｂ等が複数になると監視情報等を各携帯電話１００ｂ等へ同時に送信することができず、すべての携帯電話１００ｂ等について送信が終了するまで、長時間がかかっていた。
しかし、本実施の形態では、通知要求を携帯電話１００ｂに発信した後、携帯電話１００ｂから通知応答を受け取る前に、携帯電話１００ｃへ通知要求を発信し、その後、携帯電話１００ｂ等からの通知応答が各別に順不同に到着しても、それぞれの通知応答には、シーケンスＩＤが付されている。
このため、管理サーバ３００が、どの携帯電話１００ｂ等からの通知応答であるかを迅速に間違いなく認識することができる。
ところで、ＳＴ１０で携帯電話１００ｂから通知応答を受信した管理サーバ３００は、携帯電話１００ｂとの通信状態を確認できたので、図６の監視情報データベース１０８内の学校を中心とした半径５ｋｍ等の監視情報を携帯電話１００ｂへ送信する。このとき、携帯電話１００ｂのシーケンスＩＤ（ＳＥＱＩＤ＝１００１）を共に送信する（ＳＴ１１）（管理装置側送信工程の一例）。
【００４４】
次に、ＳＴ９で送信した携帯電話１００ｃから通知応答が管理サーバ３００送信されたとする（端末装置側発信工程の一例）。
この場合も携帯電話１００ｂの通知応答と同様に携帯電話１００ｃからの通知応答であることは共に送信されるシーケンスＩＤ（ＳＥＱＩＤ＝１００２）からの容易に認識できるので、管理サーバ３００が通知応答を発信した携帯電話１００ｃを間違うことはない。
そこで、管理サーバ３００は、ＳＴ１１と同様に携帯電話１００ｃへ監視情報をシーケンスＩＤ（ＳＥＱＩＤ＝１００２）と共に送信する（ＳＴ１３）（管理装置側送信工程の一例）。
次に、ＳＴ１４に示すように携帯電話１００ｂから監視情報受信応答が管理サーバ３００へ送信されたとする（端末装置側発信工程の一例）。
すなわち、管理サーバ３００から監視情報とシーケンスＩＤ（ＳＥＱＩＤ＝１００１）の受信した携帯電話１００ｂは、図６の監視情報受信応答用データベース１１０を参照して監視情報受信応答を生成し、シーケンスＩＤ（ＳＥＱＩＤ＝１００１）と共に管理サーバ３００へ送信する。
受信した管理サーバ３００は、どの携帯電話１００ｂ等からの監視情報受信応答であるかは、シーケンスＩＤ（ＳＥＱＩＤ＝１００１）から容易に把握することができる。
したがって、管理サーバ３００は上述の通知要求と同様に監視情報を送信した携帯電話１００ｂ等からの監視情報受信応答が到達するのを待つことなく、複数の携帯電話１００ｂ等に監視情報送信を続けて行うことができ、監視情報の送信を迅速に行うことができる。
【００４５】
次に、ＳＴ１５に示すように携帯電話１００ｂから監視情報設定完了等通知が送信されるとする（端末装置側発信工程の一例）。このときも、シーケンスＩＤ（ＳＥＱＩＤ＝１００１）が共に送信される。
すなわち、携帯電話１００ｂは図６に示す監視情報設定完了等通知用データベース１１１を基づき完了又は失敗の通知をシーケンスＩＤと共に管理サーバ３００へ送信する。
管理サーバ３００は、上述の通知応答や監視情報受信応答と同様に、共に送信されたシーケンスＩＤ（ＳＥＱＩＤ＝１００１）により携帯電話１００ｂから通知であると認識できる。
このため、管理サーバ３００はＳＴ１５で携帯電話１００ｂについて送信した、学校を中心とした半径５ｋｍ等の監視情報が図６の監視情報データベース１０８に設定されたか否かを把握できるので、その旨、アプリケーションサーバ２００へ報告することとなる。
すなわち、携帯電話１００ｂから監視情報設定完了等通知とシーケンスＩＤ（ＳＥＱＩＤ＝１００１）を受信した管理サーバ３００の制御部３０８は、図５のシーケンスＩＤ変換データベース３１２を参照して、シーケンスＩＤ（ＳＥＱＩＤ＝１００１）をターミナルＩＤ（ＴＥＲＭＩＤ＝Ｔ００１）とシーケンス番号（ＳＥＱＮＯ＝０００１）に変換する。
このように変換されたターミナルＩＤ（ＴＥＲＭＩＤ＝Ｔ００１）とシーケンス番号（ＳＥＱＮＯ＝０００１）と共に監視情報設定完了等通知がアプリケーションサーバ２００へ送信されることになる（ＳＴ１６）。
【００４６】
したがって、アプリケーションサーバ２００は、管理サーバ３００からシーケンスＩＤで情報を受信して、元のターミナルＩＤとシーケンス番号に自ら変換する必要がないので、情報の処理を速やかに行うことができる。
一方、管理サーバ３００と携帯電話１００ｂ等との間は、通知要求、通知応答、監視情報送信、監視情報受信応答、監視情報設定完了等通知等のように頻繁に交信を行う。このため、携帯電話１００ｂ等からの情報の識別情報として、ターミナルＩＤとシーケンス番号を使用するよりも、シーケンスＩＤ（ＳＥＱＩＤ＝１００１等）を用いた方が簡便であり、速やかな処理が可能となる。
このように、アプリケーションサーバ２００と管理サーバ３００間と、管理サーバ３００と携帯電話１００ｂ等間とで異なった識別情報を用いることで、最も迅速で適切な処理が可能となる。
また、ＳＴ１７、ＳＴ１８及びＳＴ１９では、携帯電話１００ｂのＳＴ１４、ＳＴ１５及びＳＴ１６と同様である。この場合も、管理サーバ３００はシーケンスＩＤ（ＳＥＱＩＤ＝１００２）により、携帯電話１００ｃからの通知であることを速やかに且つ間違いなく認識することができる。
以上のように本実施の形態によれば、管理サーバ３００は複数の携帯電話１００ｂ、１００ｃに同時に通知要求等を送信することができ、複数の携帯電話１００ｂ等を同時制することが可能となる。
【００４７】
ところで、携帯電話１００ｂ、１００ｃに監視情報の設定等が完了等した旨、アプリケーションサーバ２００へ報告した管理サーバ３００は、図５の監視情報一時保存用データベース３１０内の学校を中心とした半径５ｋｍ等の監視情報を削除する（ＳＴ２０）。
そして、複数の携帯電話１００ｂ、１００ｃに対して同一の監視情報を速やかに設定した後、各携帯電話１００ｂ、１００ｃは監視情報に従い、位置を測位し、自己がゾーン内に所在しているか否かを判断し、ゾーン外に出たときは、その旨の報告情報を図６の報告情報データベース１１３等を参照して生成し、管理サーバ３００、アプリケーションサーバ２００等を介して親（ａ）の携帯電話１００ａへ報告されることになる。
【００４８】
（プログラム及びコンピュータ読み取り可能な記録媒体等について）
コンピュータに上述の動作例の情報及び端末識別情報生成工程、管理装置側送信工程、端末装置側受信工程、端末装置側発信工程、等を実行させるための誤情報判別プログラム等とすることができる。
また、このような端末監視プログラム等を記録したコンピュータ読み取り可能な記録媒体等とすることもできる。
これら端末監視プログラム等をコンピュータにインストールし、コンピュータによって実行可能な状態にするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔｅｒｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００４９】
本発明は、上述の実施の形態に限定されない。さらに、上述の各実施の形態は、相互に組み合わせて構成するようにしてもよい。
【図面の簡単な説明】
【００５０】
【図１】本発明の実施の形態にかかる監視システムを示す概略図である。
【図２】図１のアプリケーションサーバ及び管理サーバの主なハードウエア構成等を示す概略ブロック図である。
【図３】図１の親（ア）の携帯電話及び子（イ）（ウ）の携帯電話の主なハードウエア構成等を示す概略ブロック図である。
【図４】アプリケーションサーバの主なソフトウエア構成等を示す概略ブロック図である。
【図５】管理サーバの主なソフトウエア構成等を示す概略ブロック図である。
【図６】図１の子供（イ）（ウ）の携帯電話の主なソフトウエア構成を示す概略ブロック図である。
【図７】監視システムの動作等を示す概略シーケンスチャートである。
【図８】監視システムの動作等を示す他の概略シーケンスチャートである。
【符号の説明】
【００５１】
１０・・・監視システム、１１・・・インターネット網、１２ａ、１２ｂ、１２ｃ・・・基地局、１００ａ、１００ｂ、１００ｃ・・・携帯電話、１０２・・・ＧＰＳ管理部、１０３・・・送受信部、１０４・・・表示部、１０５・・・操作部、１０６・・・電源制御部、１０７・・・中央制御部、１０８・・・監視情報データベース、１０９・・・通知応答用データベース、１１０・・・監視情報受信応答用データベース、１１１・・・監視情報設定完了等通知用データベース、１１２・・・シーケンスＩＤ保存データベース、１１３・・・報告情報データベース、２００・・・アプリケーションサーバ、２０１・・・バス、２０２・・・ＣＰＵ、２０３・・・ＲＡＭ、２０４・・・ＲＯＭ、２０５・・・Ｗｅｂ管理手段、２０６・・・操作手段、２０７・・・表示手段、２０８・・・Ｗｅｂ管理部、２０９・・・操作部、２１０・・・表示部、２１１、３０８、・・・制御部、２１２・・・クライアントメールアドレス情報データベース、２１３・・・監視情報データベース、２１４・・・ターミナルＩＤデータベース、２１５・・・シーケンス番号データベース、２１６・・・携帯電話１００ｂ等状況ログ等データベース、３００・・・管理サーバ、３０１・・・ＧＰＳアンテナ、３０２・・・受信手段、３０３・・・通信アンテナ、３０４・・・通信手段、３０５・・・記憶手段、３０６・・・外部インターフェース、３０７・・・電源部、３０９・・・ユーザ認証データベース、３１０・・・監視情報一時保存用データベース、３１１・・・監視情報受信通知用データベース、３１２・・・シーケンスＩＤ変換データベース、３１３・・・通信状態通知生成用データベース、３１４・・・通知要求生成用データベース、３１５・・・受信履歴データベース、３１６・・・監視情報設定完了等通知用データベース。
【図１】
2005072969.tif 000003
【図２】
2005072969.tif 000004
【図３】
2005072969.tif 000005
【図４】
2005072969.tif 000006
【図５】
2005072969.tif 000007
【図６】
2005072969.tif 000008
【図７】
2005072969.tif 000009
【図８】
2005072969.tif 000010